【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
制御装置に接続可能な媒体処理装置であって、
時刻を計時するリアルタイムクロックと、
前記リアルタイムクロックの異常を検出する異常検出部と、
媒体に搭載されたＩＣタグに無線通信により所定の情報を書き込む情報書込部と、
制御部と、を備え、
前記制御部は、
前記制御装置から識別情報を受信すると、前記異常検出部をチェックし、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、
前記異常検出部が前記リアルタイムクロックの異常を検出したときは、前記情報書込部による前記ＩＣタグへの書き込みを禁止することを特徴とする媒体処理装置。
【請求項２】
報知部を備え、
前記制御部は、
前記異常検出部により前記リアルタイムクロックの異常が検出された場合、前記報知部を制御して報知することを特徴とする請求項１に記載の媒体処理装置。
【請求項３】
前記媒体に記録する記録部を備え、
前記制御部は、
前記異常検出部により前記リアルタイムクロックの異常が検出された場合、前記記録部を制御して、前記媒体に報知情報を記録することを特徴とする請求項１に記載の媒体処理装置。
【請求項４】
前記媒体に記録する記録部と、
報知情報を記憶する記憶部と、を備え、
前記制御部は、
前記異常検出部により前記リアルタイムクロックの異常が検出されなかった場合、前記記録部を制御して、前記識別情報を前記媒体に記録し、
前記異常検出部により前記リアルタイムクロックの異常が検出された場合、前記記録部を制御して、前記記憶部に記憶した前記報知情報を前記媒体に記録することを特徴とする請求項１に記載の媒体処理装置。
【請求項５】
前記異常検出部は、
前記リアルタイムクロックが作動していないことが検出された場合、又は、前記リアルタイムクロックの計時がリセットされていることが検出された場合に、前記リアルタイムクロックの異常として検出することを特徴とする請求項１から請求項４のいずれかに記載の媒体処理装置。
【請求項６】
制御装置に接続可能であり、
時刻を計時するリアルタイムクロックと、
前記リアルタイムクロックの異常を検出する異常検出部と、
媒体に搭載されたＩＣタグに無線通信により所定の情報を書き込む情報書込部と、
を備えた媒体処理装置の制御方法であって、
前記制御装置から識別情報を受信すると、前記異常検出部をチェックし、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、
前記異常検出部が前記リアルタイムクロックの異常を検出したときは、前記情報書込部による前記ＩＣタグへの書き込みを禁止することを特徴とする媒体処理装置の制御方法。
【請求項７】
制御装置に接続可能であり、
時刻を計時するリアルタイムクロックと、
前記リアルタイムクロックの異常を検出する異常検出部と、
媒体に搭載されたＩＣタグに無線通信により所定の情報を書き込む情報書込部と、
を備えた媒体処理装置の各部を制御する制御部により実行されるプログラムであって、
前記制御部により、
前記制御装置から識別情報を受信すると、前記異常検出部をチェックさせ、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込みをさせ、
前記異常検出部が前記リアルタイムクロックの異常を検出したときは、前記情報書込部による前記ＩＣタグへの書き込みを禁止するように実行されることを特徴とするプログラム。
【手続補正２】
【補正対象書類名】明細書
【補正対象項目名】０００５
【補正方法】変更
【補正の内容】
【０００５】
上記目的を達成するために、本発明は、制御装置に接続可能な媒体処理装置であって、時刻を計時するリアルタイムクロックと、前記リアルタイムクロックの異常を検出する異常検出部と、媒体に搭載されたＩＣタグに無線通信により所定の情報を書き込む情報書込部と、制御部と、を備え、前記制御部は、前記制御装置から識別情報を受信すると、前記異常検出部をチェックし、前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、前記異常検出部が前記リアルタイムクロックの異常を検出したときは、前記情報書込部による前記ＩＣタグへの書き込みを禁止することを特徴とする。
また、本発明の媒体処理装置は、報知部を備え、前記制御部は、前記異常検出部により前記リアルタイムクロックの異常が検出された場合、前記報知部を制御して報知することを特徴とする。
また、本発明の媒体処理装置は、前記媒体に記録する記録部を備え、前記制御部は、前記異常検出部により前記リアルタイムクロックの異常が検出された場合、前記記録部を制御して、前記媒体に報知情報を記録することを特徴とする。
また、本発明の媒体処理装置は、前記媒体に記録する記録部と、報知情報を記憶する記憶部と、を備え、前記制御部は、前記異常検出部により前記リアルタイムクロックの異常が検出されなかった場合、前記記録部を制御して、前記識別情報を前記媒体に記録し、前記異常検出部により前記リアルタイムクロックの異常が検出された場合、前記記録部を制御して、前記記憶部に記憶した前記報知情報を前記媒体に記録することを特徴とする。
また、本発明の媒体処理装置は、前記異常検出部は、前記リアルタイムクロックが作動していないことが検出された場合、又は、前記リアルタイムクロックの計時がリセットされていることが検出された場合に、前記リアルタイムクロックの異常として検出することを特徴とする。
また、本発明は、制御装置に接続可能であり、時刻を計時するリアルタイムクロックと、前記リアルタイムクロックの異常を検出する異常検出部と、媒体に搭載されたＩＣタグに無線通信により所定の情報を書き込む情報書込部と、を備えた媒体処理装置の制御方法であって、前記制御装置から識別情報を受信すると、前記異常検出部をチェックし、前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、前記異常検出部が前記リアルタイムクロックの異常を検出したときは、前記情報書込部による前記ＩＣタグへの書き込みを禁止することを特徴とする。
また、本発明は、制御装置に接続可能であり、時刻を計時するリアルタイムクロックと、前記リアルタイムクロックの異常を検出する異常検出部と、媒体に搭載されたＩＣタグに無線通信により所定の情報を書き込む情報書込部と、を備えた媒体処理装置の各部を制御する制御部により実行されるプログラムであって、前記制御部により、前記制御装置から識別情報を受信すると、前記異常検出部をチェックさせ、前記異常検出部が前記リアルタイムクロックの異常を検出しないときは、前記リアルタイムクロックから時刻情報を取得し、当該時刻情報と前記識別情報を前記情報書込部により前記ＩＣタグに書き込みをさせ、前記異常検出部が前記リアルタイムクロックの異常を検出したときは、前記情報書込部による前記ＩＣタグへの書き込みを禁止するように実行されることを特徴とする。
上記目的を達成するために、本発明は、制御装置に接続可能な媒体処理装置であって、時刻を計時し時刻情報として出力するリアルタイムクロックと、前記リアルタイムクロックの異常を検出する異常検出部と、媒体に搭載されたＩＣタグに無線通信により情報を書き込む情報書込部と、前記媒体の記録面に記録する記録部と、報知情報を記憶する記憶部と、前記情報書込み部と前記記録部を制御する制御部と、を備え、前記制御部は、前記制御装置から識別情報を受信すると、前記異常検出部をチェックし、記異常検出部が前記リアルタイムクロックの異常を検出しないときは、前記記録部により前記識別情報を前記媒体に記録し、前記リアルタイムクロックから前記時刻情報を取得して前記識別情報と共に前記情報書込部により前記ＩＣタグに書き込み、記異常検出部が前記リアルタイムクロックの異常を検出したときは、前記識別情報を前記媒体に記録せず、前記記録部により前記記憶部に記憶した前記報知情報を前記媒体に記録し、前記情報書込部による前記ＩＣタグへの書き込みを行わないことを特徴とする。
この構成では、媒体処理装置は、媒体に記録するための識別情報を受信すると、記録部により媒体に記録する一方、この識別情報をリアルタイムクロックの時刻情報と共に情報書込部によりＩＣタグにも書き込む。制御装置からＩＣタグに書き込むために特別な情報の送信は、必ずしも必要としない。このとき、ＩＣタグに書き込む時刻情報の正確性が要求されるので、誤った時刻に関する情報が書き込まれることを防止する必要がある。そして、上記構成によれば、リアルタイムクロックの異常が検出された場合、記録装置は、書込情報の書き込みをしない。さらに、上記構成によれば、記録装置は、媒体への識別情報の記録をせず、代わりに報知情報を記録する。ユーザーは、媒体への記録が正常に行われていると、ＩＣタグへの時刻情報の書き込みも正常に行われていると認識できる。一方、媒体に報知情報が記録されていると、リアルタイムクロックについて異常が発生していることを認識できる。